(57)【要約】【課題】  セキュリティエリアへの入室時の、なりすましと共連れを確実に防止する。【解決手段】  静脈センサ２３で読み取った静脈情報が、静脈情報データベース１３に記憶している静脈情報と一致していると判定した場合は、第１のゲート３０を開放し、第１の圧力計４３で測定した足底圧が、圧力データベース１４に記憶している圧力と一致していると判定した場合は、第２のゲート４０を開放し、静脈センサ２３で読み取った静脈情報が、静脈情報データベース１３に記憶している静脈情報と一致し、かつ、第２の圧力計５３で測定した足底圧が、圧力データベース１４に記憶している圧力と一致していると判定した場合は、第３のゲート５０を開放する。【選択図】  図１
2015140507.tif 000002
【特許請求の範囲】
【請求項１】
入室者の入室を管理するセキュリティエリアへの入室を管理する入室管理システムであって、
前記セキュリティエリアへの入室を許可された入室者の静脈情報を記憶した静脈情報記憶手段と、
前記セキュリティエリアへの入室を許可された入室者の足底に生じる圧力である足底圧を記憶した圧力記憶手段と、
前記セキュリティエリアの外側で、前記入室者の静脈情報を読み取る静脈情報読取手段と、
前記セキュリティエリアの外側に配設され、前記セキュリティエリアへの入室を規制する第１のゲートと、
前記第１のゲートと、前記セキュリティエリアとの間に配設され、前記セキュリティエリアへの入室を規制する第２のゲートと、
前記第１のゲートと、前記第２のゲートとの間に配設され、前記入室者の圧力を測定する第１の圧力測定手段と、
前記第２のゲートと、前記セキュリティエリアとの間に配設され、前記セキュリティエリアへの入室を規制する第３のゲートと、
前記第２のゲートと、前記第３のゲートとの間に配設され、前記入室者の圧力を測定する第２の圧力測定手段と、
前記静脈情報読取手段で読み取った前記静脈情報が、前記静脈情報記憶手段に記憶している前記静脈情報と一致していると判定した場合は、前記第１のゲートを開放し、第１の圧力測定手段で測定した前記足底圧が、前記圧力記憶手段に記憶している前記圧力と一致していると判定した場合は、前記第２のゲートを開放し、前記静脈情報読取手段で読み取った前記静脈情報が、前記静脈情報記憶手段に記憶している前記静脈情報と一致し、かつ、第２の圧力測定手段で測定した前記足底圧が、前記圧力記憶手段に記憶している前記圧力と一致していると判定した場合は、前記第３のゲートを開放する入室判定手段と、
を備えることを特徴とする入室管理システム。
【請求項２】
入室者の入室を管理するセキュリティエリアへの入室を管理する入室管理システムであって、
前記セキュリティエリアへの入室を許可された入室者の静脈情報を記憶した静脈情報記憶手段と、
前記セキュリティエリアへの入室を許可された入室者の足底に生じる圧力である足底圧を記憶した圧力記憶手段と、
前記セキュリティエリアの外側で、前記入室者の静脈情報を読み取る静脈情報読取手段と、
前記セキュリティエリアの外側に配設され、前記セキュリティエリアへの入室を規制する第１のゲートと、
前記第１のゲートと、前記セキュリティエリアとの間に配設され、前記セキュリティエリアへの入室を規制する第２のゲートと、
前記セキュリティエリアの外側に配設され、前記入室者の圧力を測定する第１の圧力測定手段と、
前記第２のゲートと、前記セキュリティエリアとの間に配設され、前記セキュリティエリアへの入室を規制する第３のゲートと、
前記第２のゲートと、前記第３のゲートとの間に配設され、前記入室者の圧力を測定する第２の圧力測定手段と、
第１の圧力測定手段で測定した前記足底圧が、前記圧力記憶手段に記憶している前記圧力と一致していると判定した場合は、前記第１のゲートを開放し、前記静脈情報読取手段で読み取った前記静脈情報が、前記静脈情報記憶手段に記憶している前記静脈情報と一致していると判定した場合は、前記第２のゲートを開放し、前記静脈情報読取手段で読み取った前記静脈情報が、前記静脈情報記憶手段に記憶している前記静脈情報と一致し、かつ、第２の圧力測定手段で測定した前記足底圧が、前記圧力記憶手段に記憶している前記圧力と一致していると判定した場合は、前記第３のゲートを開放する入室判定手段と、
を備えることを特徴とする入室管理システム。
【請求項３】
前記静脈情報読取手段は、セキュリティエリアへ入室する際に着用する履物に配設されている、
ことを特徴とする請求項１または２に記載の入室管理システム。
【発明の詳細な説明】
【技術分野】
【０００１】
この発明は、入室者の入室を管理するセキュリティエリアへの入室を管理する入室管理システムに関する。
【背景技術】
【０００２】
電算機室のような重要機器が設置されているセキュリティエリアは、許可された入室者以外が不正に入室することがないように、入室者を管理している。セキュリティエリアへの入室を管理する方法としては、例えば、セキュリティエリアの外側にゲートを配設しておき、例えば、ＩＣカードや指紋認証、圧力センサなどによって入室者を認証して、入室の可否を判定し、ゲートの開閉を制御する方法がある。
【０００３】
セキュリティエリアへの入室を管理するために、履物を使用するものとしては、個人情報を記憶したＩＣカードを挿入するＩＣカード挿入口を備えるＩＣカード着脱付帯履物及び固定具に関する技術が知られている（例えば、特許文献１参照。）。また、集合住宅などにおいて部外者の入館を拒否するエントランス管理装置に関する技術が知られている（例えば、特許文献２参照。）。この技術は、第１ドアと第２ドアを設けて、その間を認証エリアとし、第１ドアを通過し認証エリアに入った総人数を計数し、第１ドアと第２ドアとが同時に開放されることはなく、未認証の入館希望者がエントランスを通過することは確実に阻止する、ものである。
【先行技術文献】
【特許文献】
【０００４】
【特許文献１】特開２００１−０３７５０５号公報
【特許文献２】特開２００７―２６２６９５号公報
【発明の概要】
【発明が解決しようとする課題】
【０００５】
セキュリティエリアへの入室を管理する際には、入室許可者以外によるなりすましや、正規の入室許可者が非正規の入室不許可者を連れて入室する共連れによって、不正に入室されるおそれがある。特許文献１に記載の技術では、例えば、ＩＣカード着脱付帯履物を不正に入手した者のなりすましによって、不正に入室されてしまうおそれがある。また、特許文献２に記載の技術では、例えば、入場を許可された者が、部外者を背負ったような場合などには、共連れを確実に防止できないおそれがある。
【０００６】
そこでこの発明は、なりすましと共連れを確実に防止できる入室管理システムを提供することを目的とする。
【課題を解決するための手段】
【０００７】
上記課題を解決するために、請求項１の発明は、入室者の入室を管理するセキュリティエリアへの入室を管理する入室管理システムであって、前記セキュリティエリアへの入室を許可された入室者の静脈情報を記憶した静脈情報記憶手段と、前記セキュリティエリアへの入室を許可された入室者の足底に生じる圧力である足底圧を記憶した圧力記憶手段と、前記セキュリティエリアの外側で、前記入室者の静脈情報を読み取る静脈情報読取手段と、前記セキュリティエリアの外側に配設され、前記セキュリティエリアへの入室を規制する第１のゲートと、前記第１のゲートと、前記セキュリティエリアとの間に配設され、前記セキュリティエリアへの入室を規制する第２のゲートと、前記第１のゲートと、前記第２のゲートとの間に配設され、前記入室者の圧力を測定する第１の圧力測定手段と、前記第２のゲートと、前記セキュリティエリアとの間に配設され、前記セキュリティエリアへの入室を規制する第３のゲートと、前記第２のゲートと、前記第３のゲートとの間に配設され、前記入室者の圧力を測定する第２の圧力測定手段と、前記静脈情報読取手段で読み取った前記静脈情報が、前記静脈情報記憶手段に記憶している前記静脈情報と一致していると判定した場合は、前記第１のゲートを開放し、第１の圧力測定手段で測定した前記足底圧が、前記圧力記憶手段に記憶している前記圧力と一致していると判定した場合は、前記第２のゲートを開放し、前記静脈情報読取手段で読み取った前記静脈情報が、前記静脈情報記憶手段に記憶している前記静脈情報と一致し、かつ、第２の圧力測定手段で測定した前記足底圧が、前記圧力記憶手段に記憶している前記圧力と一致していると判定した場合は、前記第３のゲートを開放する入室判定手段と、を備えることを特徴とする入室管理システムである。
【０００８】
この発明によれば、入室判定手段によって、静脈情報読取手段で読み取った静脈情報が、静脈情報記憶手段に記憶している静脈情報と一致していると判定された場合は、第１のゲートが開放され、第１の圧力測定手段で測定した足底圧が、圧力記憶手段に記憶している圧力と一致していると判定された場合は、第２のゲートが開放され、静脈情報読取手段で読み取った静脈情報が、静脈情報記憶手段に記憶している静脈情報と一致し、かつ、第２の圧力測定手段で測定した足底圧が、圧力記憶手段に記憶している圧力と一致していると判定された場合は、第３のゲートが開放される。
【０００９】
請求項２の発明は、入室者の入室を管理するセキュリティエリアへの入室を管理する入室管理システムであって、前記セキュリティエリアへの入室を許可された入室者の静脈情報を記憶した静脈情報記憶手段と、前記セキュリティエリアへの入室を許可された入室者の足底に生じる圧力である足底圧を記憶した圧力記憶手段と、前記セキュリティエリアの外側で、前記入室者の静脈情報を読み取る静脈情報読取手段と、前記セキュリティエリアの外側に配設され、前記セキュリティエリアへの入室を規制する第１のゲートと、前記第１のゲートと、前記セキュリティエリアとの間に配設され、前記セキュリティエリアへの入室を規制する第２のゲートと、前記セキュリティエリアの外側に配設され、前記入室者の圧力を測定する第１の圧力測定手段と、前記第２のゲートと、前記セキュリティエリアとの間に配設され、前記セキュリティエリアへの入室を規制する第３のゲートと、前記第２のゲートと、前記第３のゲートとの間に配設され、前記入室者の圧力を測定する第２の圧力測定手段と、第１の圧力測定手段で測定した前記足底圧が、前記圧力記憶手段に記憶している前記圧力と一致していると判定した場合は、前記第１のゲートを開放し、前記静脈情報読取手段で読み取った前記静脈情報が、前記静脈情報記憶手段に記憶している前記静脈情報と一致していると判定した場合は、前記第２のゲートを開放し、前記静脈情報読取手段で読み取った前記静脈情報が、前記静脈情報記憶手段に記憶している前記静脈情報と一致し、かつ、第２の圧力測定手段で測定した前記足底圧が、前記圧力記憶手段に記憶している前記圧力と一致していると判定した場合は、前記第３のゲートを開放する入室判定手段と、を備えることを特徴とする入室管理システムである。
【００１０】
この発明によれば、入室判定手段によって、第１の圧力測定手段で測定した足底圧が、圧力記憶手段に記憶している圧力と一致していると判定された場合は、第１のゲートが開放され、静脈情報読取手段で読み取った静脈情報が、静脈情報記憶手段に記憶している静脈情報と一致していると判定された場合は、第２のゲートが開放され、静脈情報読取手段で読み取った静脈情報が、静脈情報記憶手段に記憶している静脈情報と一致し、かつ、第２の圧力測定手段で測定した足底圧が、圧力記憶手段に記憶している圧力と一致していると判定された場合は、第３のゲートが開放される。
【００１１】
請求項３に記載の発明は、請求項１または２に記載の入室管理システムにおいて、前記静脈情報読取手段は、セキュリティエリアへ入室する際に着用する履物に配設されている、ことを特徴とする。
【発明の効果】
【００１２】
請求項１、２の発明によれば、静脈情報読取手段によって読み取った静脈情報が、静脈情報記憶手段に記憶している静脈情報と一致していると判定した場合と、第１の圧力測定手段によって測定した足底圧が、圧力記憶手段に記憶している圧力と一致していると判定した場合には、第１のゲート、第２のゲートを順次開放し、静脈情報読取手段によって読み取った静脈情報が、静脈情報記憶手段に記憶している静脈情報と一致し、かつ、第２の圧力測定手段によって測定した足底圧が、圧力記憶手段に記憶している圧力と一致していると判定した場合には、第３のゲートを開放する。このようにして、第１のゲートから第３のゲートが順次、開放されるので、なりすましと共連れを確実に防止することができる。
【００１３】
第３のゲートの開放を判定する際には、第１のゲートの開放の判定条件と、第２のゲートの開放の判定条件とを、合わせて再判定するので、なりすましと共連れを確実に防止できる。
【００１４】
請求項３の発明によれば、静脈情報読取手段は、セキュリティエリアへ入室する際に着用する履物に配設されているので、入室時の入室者の手間を削減できる。
【図面の簡単な説明】
【００１５】
【図１】この発明の実施の形態に係る入室管理システムを示す概略構成図である。
【図２】図１の入室管理システムによって、入室を管理するセキュリティエリアへの入室を説明するための概略図である。
【図３】図１の入室管理システムによる情報処理を示す図である。
【発明を実施するための形態】
【００１６】
以下、この発明を図示の実施の形態に基づいて説明する。
【００１７】
図１は、この発明の実施の形態に係る入室管理システム１を示す概略構成図である。この入室管理システム１は、入室者のセキュリティエリアＡへの入室を管理するためのシステムであり、主として、管理コンピュータ１０と、第１のゲート３０と、第２のゲート４０と、第３のゲート５０とが、通信網ＮＷを介して相互に通信自在に配設され、履物２０は、第１のゲート３０と近距離無線通信によって通信自在に配設されている。
【００１８】
履物２０は、図２に示すように、セキュリティエリアＡへ入室する際に着用する、例えば、スリッパなどの履物であり、第１のゲート３０の外側に用意されている。この実施の形態においては、入室者は、セキュリティエリアＡへ入室する際に、履物２０に履き替えて、第１のゲート３０へ進むようになっている。履物２０は、図１に示すように、主として、制御部２１と、通信部２２と、静脈情報読取手段としての静脈センサ２３とを備えている。通信部２２は、第１のゲート３０との間で近距離無線通信が可能となっており、第１のゲート３０の数ｃｍ以内の距離に近づくと、データを送信する。
【００１９】
静脈センサ２３は、着用者の足と接する履物２０の内周面部の配設されており、当該履物２０を着用した入室者の足の静脈情報を読み取る機能を有している。静脈センサ２３によって読み取った静脈情報は、通信部２２を介して第１のゲート３０に送信されるように制御部２１によって制御されている。
【００２０】
第１のゲート３０は、図２に示すように、セキュリティエリアＡの外側に配設され、セキュリティエリアＡへの入室を規制するものであり、図１に示すように、主として、制御部３１と、通信部３２とを備えている。第１のゲート３０は、後述する管理コンピュータ１０からの制御信号に基づいて、ゲートを開閉するように制御部３１によって制御されている。この第１のゲート３０は、通常時は閉鎖されており、管理コンピュータ１０が、静脈センサ２３によって読み取った入室者の静脈情報が予め記憶している静脈情報と一致していると判定した場合のみ、開放するように制御されている。すなわち、第１のゲート３０は、入室者が静脈認証によって入室を許可された場合にのみ、解放される。
【００２１】
通信部３２は、履物２０から近距離無線通信によって静脈情報を受信すると、その静脈情報を、通信網ＮＷを介して管理コンピュータ１０に送信するように制御部３１によって制御されている。
【００２２】
第２のゲート４０は、図２に示すように、第１のゲート３０と、セキュリティエリアＡとの間に配設され、セキュリティエリアＡへの入室を規制するものであり、図１に示すように、主として、制御部４１と、通信部４２と、第１の圧力測定手段としての第１の圧力計４３とを備えている。第２のゲート４０は、後述する管理コンピュータ１０からの制御信号に基づいて、ゲートを開閉するように制御部４１によって制御されている。
【００２３】
第１の圧力計４３は、第１のゲート３０と、第２のゲート４０との間の床面に配設されており、入室者の足底に生じる圧力である足底圧（圧力）を測定するものである。この第１の圧力計４３は、第１のゲート３０を通過して、第２のゲート４０に進む入室者の動線上に配設されている。第１の圧力計４３によって測定された圧力は、通信部４２を介して管理コンピュータ１０に送信されるように制御部４１によって制御されている。
【００２４】
第２のゲート４０は、通常時は閉鎖されており、管理コンピュータ１０が、第１の圧力計４３によって測定した入室者の圧力が、予め記憶している圧力と一致していると判定した場合のみ、開放するように制御されている。すなわち、第２のゲート４０は、入室者が圧力認証によって入室を許可された場合にのみ、解放される。
【００２５】
第３のゲート５０は、図２に示すように、第２のゲート４０と、セキュリティエリアＡとの間に配設され、セキュリティエリアＡへの入室を規制するものであり、図１に示すように、主として、制御部５１と、通信部５２と、第２の圧力測定手段としての第２の圧力計５３とを備えている。第３のゲート５０は、後述する管理コンピュータ１０からの制御信号に基づいて、ゲートを開閉するように制御部５１によって制御されている。
【００２６】
第２の圧力計５３は、第２のゲート４０と、第３のゲート５０との間の床面に配設されており、入室者の足底に生じる圧力である足底圧（圧力）を測定するものであり、第２のゲート４０を通過して、第３のゲート５０に進む入室者の動線上に配設されている。第２の圧力計５３によって測定された圧力は、通信部５２を介して管理コンピュータ１０に送信されるように制御部５１によって制御されている。
【００２７】
第３のゲート５０は、通常時は閉鎖されており、管理コンピュータ１０が、静脈センサ２３によって読み取った入室者の静脈情報が予め記憶している静脈情報と一致し、かつ、第２の圧力計５３によって測定した入室者の圧力が予め記憶している圧力と一致していると判定した場合のみ、第３のゲート５０を開放するように制御されている。すなわち、第３のゲート５０は、入室者が静脈認証と圧力認証によって入室を許可された場合にのみ、解放される。
【００２８】
管理コンピュータ１０は、主として、通信部１１と、記憶部１２と、静脈情報記憶手段としての静脈情報データベース１３と、圧力記憶手段としての圧力データベース１４と、入室判定手段としての入室判定タスク１５と、これらを制御などする制御部１６とを備えている。
【００２９】
通信部１１は、通信網ＮＷを介して、履物２０との間でデータを受信したり、第１のゲート３０や第２のゲート４０、第３のゲート５０との間でデータや制御信号を送受信したりする。
【００３０】
記憶部１２は、各種情報・データを記憶するメモリであり、管理コンピュータ１０における情報処理で必要なデータやプログラム、タスクなどを記憶している。
【００３１】
静脈情報データベース１３は、セキュリティエリアＡへの入室を許可された入室者の静脈情報を記憶したものであり、入室者ごとに、静脈情報がデータとして記憶されている。この静脈情報データベース１３に、入室者の静脈情報が記憶されている場合は、入室が許可されており、入室者の静脈情報が記憶されていない場合は、入室が許可されていないものである。
【００３２】
圧力データベース１４は、セキュリティエリアＡへの入室を許可された入室者の足底に生じる圧力である足底圧を記憶したものであり、入室者ごとに、圧力がデータとして記憶されている。この圧力データベース１４に、入室者の圧力が記憶されている場合は、入室が許可されており、入室者の圧力が記憶されていない場合は、入室が許可されていないものである。
【００３３】
入室判定タスク１５は、図３に示すフローチャートに沿って処理を行うものであり、静脈センサ２３によって読み取った静脈情報が、静脈情報データベース１３に記憶している静脈情報と一致していると判定した場合は、第１のゲート３０を開放し、第１の圧力計４３によって測定した足底圧が、圧力データベース１４に記憶している圧力と一致していると判定した場合は、第２のゲート４０を開放し、静脈センサ２３によって読み取った静脈情報が、静脈情報データベース１３に記憶している静脈情報と一致し、かつ、第２の圧力計５３によって測定した足底圧が、圧力データベース１４に記憶している圧力と一致していると判定した場合は、第３のゲート５０を開放する機能を有するプログラム、タスクである。この入室判定タスク１５は、入室者が履物２０を履いて、第１のゲート３０の外側に立ち、第１のゲート３０から静脈情報を受信すると、起動するように制御部１６によって制御されている。ここで、測定した足底圧が、圧力データベース１４に記憶している圧力と一致しているか否かの判定においては、衣服の重量や、体重のわずかな増減などによって、同一入室者であっても、圧力は増減するため、所定範囲内であれば一致していると判定するようになっている。
【００３４】
次に、このような構成の入室管理システム１の作用・動作および、入室管理システム１によるセキュリティエリアＡへの入室管理方法について説明する。
【００３５】
入室者が、セキュリティエリアＡに入室する場合は、まず、第１のゲート３０の外側で、履物２０が靴箱から取り出されて、履物２０に履き替えられる。
【００３６】
そして、入室者が第１のゲート３０前まで進むと、近距離無線通信によって第１のゲート３０に静脈情報が送信される。そして、第１のゲート３０によって、静脈情報が管理コンピュータ１０に送信されると、図３に示すフローチャートに沿って処理が行われる。
【００３７】
まず、静脈センサ２３によって読み取った静脈情報が、静脈情報データベース１３に記憶している静脈情報と一致しているか否かが判定される（ステップＳ１）。一致していないと判定された場合（「ＮＯ」の場合）は、何もせず、第１のゲート３０は閉じたままとされる。一致していると判定された場合（「ＹＥＳ」の場合）は、第１のゲート３０が開放される（ステップＳ２）。
【００３８】
そして、入室者が第１のゲート３０を通過して、第２のゲート４０前まで進むと、第１の圧力計４３によって測定した足底圧が、圧力データベース１４に記憶している圧力と一致しているか否かが判定される（ステップＳ３）。一致していないと判定された場合（「ＮＯ」の場合）は、何もせず、第２のゲート４０は閉じたままとされ、退出路として第１のゲート３０が開かれる。一致していると判定された場合（「ＹＥＳ」の場合）は、第２のゲート４０が開放される（ステップＳ４）。
【００３９】
そして、入室者が第２のゲート４０を通過して、第３のゲート５０前まで進むと、静脈センサ２３によって読み取った静脈情報が、静脈情報データベース１３に記憶している静脈情報と一致し、かつ、第２の圧力計５３によって測定した足底圧が、圧力データベース１４に記憶している圧力と一致しているか否かが判定される（ステップＳ５）。一致していないと判定された場合（「ＮＯ」の場合）は、何もせず、第３のゲート５０は閉じたままとされ、退出路として、第１のゲート３０と第２のゲート４０が開かれる。一致していると判定された場合（「ＹＥＳ」の場合）は、第３のゲート５０が開放される（ステップＳ６）。
【００４０】
また、入室者が履物２０を履いていない場合は、入室判定タスク１５が起動されないため、第１のゲート３０が解放されず、通過することができない。
【００４１】
入室を許可されていない者（入室不許可者）が、入室許可者になりすました場合には、入室不許可者は静脈情報データベース１３に静脈情報が登録されていないため、ステップＳ１において、一致すると判定されることがないため、第１のゲート３０が解放されず、通過することができない。
【００４２】
入室者が入室不許可者を背負って共連れした場合は、ステップＳ３において、第１の圧力計４３によって測定した足底圧が、圧力データベース１４に記憶している圧力と一致していないと判定されるので、第２のゲート４０が解放されず、通過することができない。
【００４３】
以上のように、本入室管理システム１によれば、静脈センサ２３によって読み取った静脈情報が、静脈情報データベース１３に記憶している静脈情報と一致していると判定した場合は、第１のゲート３０が開放され、第１の圧力計４３によって測定した足底圧が、圧力データベース１４に記憶している圧力と一致していると判定した場合は、第２のゲート４０が開放され、静脈センサ２３によって読み取った静脈情報が、静脈情報データベース１３に記憶している静脈情報と一致し、かつ、第２の圧力計５３によって測定した足底圧が、圧力データベース１４に記憶している圧力と一致していると判定した場合は、第３のゲート５０が開放される。
【００４４】
特に、第３のゲート５０の開放を判定する際には、第１のゲート３０の開放の判定条件と、第２のゲート４０の開放の判定条件とを、合わせて再判定するので、なりすましと共連れを確実に防止できる。
【００４５】
また、静脈センサ２３は、セキュリティエリアＡへ入室する際に着用する履物２０に配設されているので、入室時の入室者の手間を削減できる。
【００４６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、入室判定タスク１５は、ステップＳ１、Ｓ２において、静脈認証によって入室を許可すると判定した場合は、第１のゲート３０を開放し、ステップＳ１、Ｓ２において、圧力認証によって入室を許可すると判定した場合は、第２のゲート４０を開放するものとしたが、ステップＳ１、Ｓ２と、ステップＳ３、Ｓ４の順番を入れ替えてもよい。
【００４７】
この場合は、第１の圧力計は、第１のゲート３０の外側の床面に配設されており、履物２０の通信部２２は、第２のゲート４０との間で近距離無線通信が可能となっており、第２のゲート４０の数ｃｍ以内の距離に近づくと、データを送信する。そして、通信部４２は、履物２０から近距離無線通信によって静脈情報を受信すると、その静脈情報を、通信網ＮＷを介して管理コンピュータ１０に送信するように制御部４１によって制御されている。そして、入室判定タスク１５は、まず、圧力認証によって入室を許可すると判定した場合は、第１のゲート３０を開放し、次に、静脈認証によって入室を許可すると判定した場合は、第２のゲート４０を開放するように制御する。
【００４８】
また、履物２０は、入室者ごとに割り当てても、共用で使用するようにしてもよい。
【符号の説明】
【００４９】
１        入室管理システム
１０      管理コンピュータ
１３      静脈情報データベース（静脈情報記憶手段）
１４      圧力データベース（圧力記憶手段）
１５      入室判定タスク（入室判定手段）
２０      履物
２３      静脈センサ
３０      第１のゲート
４０      第２のゲート
４３      第１の圧力計
５０      第３のゲート
５３      第２の圧力計
【図１】
2015140507.tif 000003
【図２】
2015140507.tif 000004
【図３】
2015140507.tif 000005